【手続補正書】
【提出日】平成26年11月10日(2014.11.10)
【手続補正１】
【補正対象書類名】特許請求の範囲
【補正対象項目名】全文
【補正方法】変更
【補正の内容】
【特許請求の範囲】
【請求項１】
画像形成手段により第１のチャートを測色した結果を用いて目標値と前記第１のチャートの表面特性値である第１の表面特性を取得する第１の取得手段と、
第２のチャートの表面特性である第２の表面特性値を取得する第２の取得手段と、
前記第１の取得手段で取得した第１の表面特性値と前記第２の取得手段で取得した第２の表面特性値との差異が閾値以下である場合、前記画像形成手段により前記第２のチャート上に形成された混色の画像を測色し、該測色の結果と前記目標値との差分を用いて前記画像形成手段が形成する混色の再現特性を補正する補正用のＬＵＴを生成する混色キャリブレーション手段と、
を有することを特徴とする画像処理装置。
【請求項２】
前記表面特性値は光沢度であり、該光沢度は、前記第１のチャートおよび前記第２のチャートを測定して取得する色相及び彩度又は分光反射率から得られることを特徴とする請求項１に記載の画像処理装置。
【請求項３】
前記第１のチャートおよび前記第２のチャートは前記混色のキャリブレーションを実施するための情報と前記表面特性値を取得するための情報で構成されることを特徴とする請求項１に記載の画像処理装置。
【請求項４】
前記表面特性値は前記第１のチャートおよび前記第２のチャートの紙白部分を測定することで得られることを特徴とする請求項１に記載の画像処理装置。
【請求項５】
前記表面特性値は前記第１のチャートおよび前記第２のチャートに単色のトナーを印刷した部分を測定することで得られることを特徴とする請求項１に記載の画像処理装置。
【請求項６】
前記第１の表面特性値と前記第２の表面特性値に閾値以上の差異が以上ある場合、エラーであることを表示する表示手段を有することを特徴とする請求項１に記載の画像処理装置。
【請求項７】
前記第１の表面特性値と前記第２の表面特性値に閾値以上の差異が以上ある場合、エラーであることを表示する表示手段を有し、
前記表示手段に、前記第２のチャートの測定値を前記目標値の代わりの目標値として登録することを促すＵＩを表示することを特徴とする請求項１に記載の画像処理装置。
【請求項８】
前記第１の表面特性値と前記第２の表面特性値に閾値以上の差異が以上ある場合、エラーであることを表示する表示手段を有し、
前記表示手段に、前記第２のチャートの測定値を前記目標値の代わりの目標値として登録することを受け付けると、前記第２のチャートの測定値を目標値として登録することを特徴とする請求項１に記載に画像処理装置。
【請求項９】
前記第２のチャートの光沢度が閾値以上の用紙であることを示される場合のみ、前記第２の取得手段が実行されることを特徴とする請求項１に記載の画像処理装置。
【請求項１０】
前記第１の表面特性値と前記第２の表面特性値に閾値以上の差異が以上ある場合、エラーであることを表示する表示手段を有し、
前記表示手段に、前記第２の取得手段で取得した第２の表面特性値と類似した光沢度を持つ目標値を探索することを促すＵＩを表示することを特徴とする請求項１に記載の画像処理装置。
【請求項１１】
前記類似した光沢度を持つ目標値を探索することを促すＵＩを表示し、目標値探索の指示を受け付けた場合に、前記類似した光沢度を持つ目標値が探索できた場合はその目標値を用いて混色のキャリブレーションを実行し、探索できなかった場合はエラーメッセージを表示することを特徴とする請求項１０に記載の画像処理装置。
【請求項１２】
前記第１の取得手段で取得した第１の表面特性値と前記第２の取得手段で取得した第２の表面特性値との差異を判定する際、処理の精度と処理の速度のうちいずれを優先するかをユーザに選択させることを特徴とする請求項１に記載の画像処理装置。
【請求項１３】
前記第１のチャートの測定値および前記第２のチャートの測定値を測定するためのセンサを有し、該センサは、デバイスに依存しない値で測定値を取得することを特徴とする請求項１に記載の画像処理装置。
【請求項１４】
前記第１のチャートの測定値および前記第２のチャートの測定値を測定するためのセンサを有し、該センサは、デバイスに依存する値で測定値を取得し、該測定値は演算によってデバイスに依存しない値に変換されることを特徴とする請求項１に記載の画像処理装置。
【請求項１５】
画像形成手段により第１のチャートを測色した結果を用いて目標値と、前記第１のチャートの表面特性値である第１の表面特性を取得する第１の取得ステップと、
第２のチャートの表面特性である第２の表面特性値を取得する第２の取得ステップと、前記第１の取得ステップで取得した第１の表面特性値と前記第２の取得ステップで取得した第２の表面特性値との差異が閾値以下である場合、前記画像形成手段により前記第２のチャート上に形成された混色の画像を測色し、該測色の結果と前記目標値との差分を用いて前記画像形成手段が形成する混色の再現特性を補正する補正用のＬＵＴを生成する混色キャリブレーションステップと、
を有することを特徴とする画像処理方法。
【請求項１６】
前記表面特性値は光沢度であり、該光沢度は、前記第１のチャートおよび前記第２のチャートを測定して取得する色相及び彩度又は分光反射率から得られることを特徴とする請求項１５に記載の画像処理方法。
【請求項１７】
前記第１のチャートおよび前記第２のチャートは前記混色のキャリブレーションを実施するための情報と前記表面特性値を取得するための情報で構成されることを特徴とする請求項１５に記載の画像処理方法。
【請求項１８】
前記表面特性値は前記第１のチャートおよび前記第２のチャートの紙白部分を測定することで得られることを特徴とする請求項１５に記載の画像処理方法。
【請求項１９】
前記表面特性値は前記第１のチャートおよび前記第２のチャートに単色のトナーを印刷した部分を測定することで得られることを特徴とする請求項１５に記載の画像処理方法。
【請求項２０】
前記第１の表面特性値と前記第２の表面特性値に閾値以上の差異が以上ある場合、エラーであることを表示部に表示させる表示ステップを有することを特徴とする請求項１５に記載の画像処理方法。
【請求項２１】
前記第１の表面特性値と前記第２の表面特性値に閾値以上の差異が以上ある場合、エラーであることを表示部に表示させる表示ステップを有し、
前記表示ステップで、前記第２のチャートの測定値を前記目標値の代わりの目標値として登録することを促すＵＩを表示部に表示させることを特徴とする請求項１５に記載の画像処理方法。
【請求項２２】
前記第１の表面特性値と前記第２の表面特性値に閾値以上の差異が以上ある場合、エラーであることを表示部に表示させる表示ステップを有し、
前記表示ステップで、前記第２のチャートの測定値を前記目標値の代わりの目標値として登録することを受け付けると、前記第２のチャートの測定値を目標値として登録することを特徴とする請求項１５に記載に画像処理方法。
【請求項２３】
前記第２のチャートの光沢度が閾値以上の用紙であることを示される場合のみ、前記第２の取得ステップが実行されることを特徴とする請求項１５に記載の画像処理方法。
【請求項２４】
前記第１の表面特性値と前記第２の表面特性値に閾値以上の差異が以上ある場合、エラーであることを表示部に表示させる表示ステップを有し、
前記表示ステップで、前記第２の取得ステップで取得した第２の表面特性値と類似した光沢度を持つ目標値を探索することを促すＵＩを表示部に表示させることを特徴とする請求項１５に記載の画像処理方法。
【請求項２５】
前記類似した光沢度を持つ目標値を探索することを促すＵＩを表示部に表示させ、目標値探索の指示を受け付けた場合に、前記類似した光沢度を持つ目標値が探索できた場合はその目標値を用いて混色のキャリブレーションを実行し、探索できなかった場合はエラーメッセージを表示することを特徴とする請求項２４に記載の画像処理方法。
【請求項２６】
前記第１の取得ステップで取得した第１の表面特性値と前記第２の取得ステップで取得した第２の表面特性との差異を判定する際、処理の精度と処理の速度のうちいずれを優先するかをユーザに選択させることを特徴とする請求項１５に記載の画像処理方法。
【請求項２７】
前記第１のチャートの測定値および前記第２のチャートの測定値を測定するためのセンサを有し、該センサは、デバイスに依存しない値で測定値を取得することを特徴とする請求項１５に記載の画像処理方法。
【請求項２８】
前記第１のチャートの測定値および前記第２のチャートの測定値を測定するためのセンサを有し、該センサは、デバイスに依存する値で測定値を取得し、該測定値は演算によってデバイスに依存しない値に変換されることを特徴とする請求項１５に記載の画像処理方法。
【請求項２９】
請求項１５乃至２８に記載の画像処理方法をコンピュータに実行させるためのプログラム。
【手続補正２】
【補正対象書類名】明細書
【補正対象項目名】００１７
【補正方法】変更
【補正の内容】
【００１７】
上述した課題を解決するために、本発明は、画像形成手段により第１のチャートを測色した結果を用いて目標値と前記第１のチャートの表面特性値である第１の表面特性を取得する第１の取得手段と、第２のチャートの表面特性である第２の表面特性値を取得する第２の取得手段と、前記第１の取得手段で取得した第１の表面特性値と前記第２の取得手段で取得した第２の表面特性値との差異が閾値以下である場合、前記画像形成手段により前記第２のチャート上に形成された混色の画像を測色し、該測色の結果と前記目標値との差分を用いて前記画像形成手段が形成する混色の再現特性を補正する補正用のＬＵＴを生成する混色キャリブレーション手段とを有することを特徴とする。